(57)【要約】【課題】  障子の突き出し量を適正量に抑えることができると共に、障子の垂れ下がりを抑制することができる開口部装置を提供する。【解決手段】  建物の開口部に設けられる枠体２と、枠体２に設けられる障子３と、障子３の戸先側を支持して閉鎖位置イから室外の第１開放位置ロに平行に持ち出し、第１開放位置ロから一側方の第２開放位置ハに平行に移動する平行移動機構４と、平行移動機構４を紐状部材５を介して操作する操作部６とを備え、平行移動機構４は、少なくとも下枠２ｂに沿って移動可能に設けられた移動体１２に障子３の戸先側を平行移動可能に支持する回動アーム１３及びリンク１４を有する。上枠２ａ及び下枠２ｂにラック１５，１６を設けると共に、回動アーム１３の上下にラック１５，１６と噛合するピニオン１７，１８を配置し、上下のピニオン１７，１８を連動させるべく軸１９で連結する。【選択図】          図１
2006183335.tif 000002
【特許請求の範囲】
【請求項１】
建物の開口部に設けられる上枠、下枠及び左右の縦枠からなる枠体と、該枠体に開閉可能に設けられる障子と、該障子の戸先側を支持して障子を枠体内の閉鎖位置から室外の第１開放位置に平行に持ち出し、更に該第１開放位置から一側方の第２開放位置に平行に移動する平行移動機構と、該平行移動機構を紐状部材を介して操作する操作部とを備えた開口部装置であって、前記平行移動機構は、少なくとも下枠に沿って移動可能に設けられた移動体と、該移動体に回動可能に設けられ障子の戸先側を平行移動可能に支持する回動アーム及びリンクとを有し、上枠及び下枠にラックを設けると共に、前記回動アームの上下に前記ラックと噛合するピニオンを配置し、該上下のピニオンを連動させるべく軸で連結したことを特徴とする開口部装置。
【請求項２】
建物の開口部に設けられる上枠、下枠及び左右の縦枠からなる枠体と、該枠体に開閉可能に設けられる障子と、該障子の戸先側を支持して障子を枠体内の閉鎖位置から室外の第１開放位置に平行に持ち出し、更に該第１開放位置から一側方の第２開放位置に平行に移動する平行移動機構と、該平行移動機構を紐状部材を介して操作する操作部とを備えた開口部装置であって、前記平行移動機構は、少なくとも下枠に沿って移動可能に設けられた移動体と、該移動体に回動可能に設けられ障子の戸先側を平行移動可能に支持する回動アーム及びリンクとを有し、上枠及び下枠にラックを設けると共に、前記回動アームの上下に前記ラックと噛合するピニオンを配置し、該上下のピニオンを連動させるべく軸で連結し、該軸を含む回動アームが前記障子の戸先側内部に収納可能に形成されていることを特徴とする開口部装置。
【請求項３】
建物の開口部に設けられる上枠、下枠及び左右の縦枠からなる枠体と、該枠体に開閉可能に設けられる障子と、該障子の戸先側を支持して障子を枠体内の閉鎖位置から室外の第１開放位置に平行に持ち出し、更に該第１開放位置から一側方の第２開放位置に平行に移動する平行移動機構と、該平行移動機構を紐状部材を介して操作する操作部とを備えた開口部装置であって、前記平行移動機構は、少なくとも下枠に沿って移動可能に設けられた移動体と、該移動体に回動可能に設けられ障子の戸先側を平行移動可能に支持する回動アーム及びリンクとを有し、上枠及び下枠にラックを設けると共に、前記回動アームの上下に前記ラックと噛合するピニオンを配置し、該上下のピニオンを連動させるべく軸で連結し、上下のラックのうち少なくとも一方が他方に対し微調整可能に設けられていることを特徴とする開口部装置。
【発明の詳細な説明】
【技術分野】
【０００１】
本発明は、障子の前方への突き出し開閉及び一側方へのスライドを可能とした開口部装置に関する。
【背景技術】
【０００２】
この種の開口部装置としては、建物の開口部に設けられる上枠、下枠及び左右の縦枠からなる枠体内に、リンク（例えば平行リング）を解して障子を閉鎖位置から室外へ突き出し（持ち出し）、更に一側方へ移動させて開放するようにした窓が知られている（例えば特開平８−３０１０３号公報、特開２００２−３５７０４８号公報等参照）。このような窓においては、障子を枠体内から室外の一側方へ開放移動することができるため、枠体内で障子がスライドする窓と比べて窓を大きく開放することができる。
【０００３】
【特許文献１】特開平８−３０１０３号公報
【特許文献２】特開平号公報    特開２００２−３５７０４８号公報
【発明の開示】
【発明が解決しようとする課題】
【０００４】
しかしながら、従来の開口部装置においては、主としてリンクのみで障子の突き出し（持ち出し）及び一側方への移動を行うように構成されているため、障子の突き出し量（持ち出し量）が大きくなり、室外側に面格子を取付けることが困難となるだけでなく、障子の垂れ下がりが生じたりすることがあった。
【０００５】
本発明は、上記事情を考慮してなされたものであり、障子の突き出し量を適正量に抑えることができると共に、障子の垂れ下がりを抑制することができる開口部装置を提供することを目的とする。
【課題を解決するための手段】
【０００６】
本発明のうち、請求項１に係る発明は、建物の開口部に設けられる上枠、下枠及び左右の縦枠からなる枠体と、該枠体に開閉可能に設けられる障子と、該障子の戸先側を支持して障子を枠体内の閉鎖位置から室外の第１開放位置に平行に持ち出し、更に該第１開放位置から一側方の第２開放位置に平行に移動する平行移動機構と、該平行移動機構を紐状部材を介して操作する操作部とを備えた開口部装置であって、前記平行移動機構は、少なくとも下枠に沿って移動可能に設けられた移動体と、該移動体に回動可能に設けられ障子の戸先側を平行移動可能に支持する回動アーム及びリンクとを有し、上枠及び下枠にラックを設けると共に、前記回動アームの上下に前記ラックと噛合するピニオンを配置し、該上下のピニオンを連動させるべく軸で連結したことを特徴とする。
【０００７】
請求項２に係る発明は、建物の開口部に設けられる上枠、下枠及び左右の縦枠からなる枠体と、該枠体に開閉可能に設けられる障子と、該障子の戸先側を支持して障子を枠体内の閉鎖位置から室外の第１開放位置に平行に持ち出し、更に該第１開放位置から一側方の第２開放位置に平行に移動する平行移動機構と、該平行移動機構を紐状部材を介して操作する操作部とを備えた開口部装置であって、前記平行移動機構は、少なくとも下枠に沿って移動可能に設けられた移動体と、該移動体に回動可能に設けられ障子の戸先側を平行移動可能に支持する回動アーム及びリンクとを有し、上枠及び下枠にラックを設けると共に、前記回動アームの上下に前記ラックと噛合するピニオンを配置し、該上下のピニオンを連動させるべく軸で連結し、該軸を含む回動アームが前記障子の戸先側内部に収納可能に形成されていることを特徴とする。
【０００８】
請求項３に係る発明は、建物の開口部に設けられる上枠、下枠及び左右の縦枠からなる枠体と、該枠体に開閉可能に設けられる障子と、該障子の戸先側を支持して障子を枠体内の閉鎖位置から室外の第１開放位置に平行に持ち出し、更に該第１開放位置から一側方の第２開放位置に平行に移動する平行移動機構と、該平行移動機構を紐状部材を介して操作する操作部とを備えた開口部装置であって、前記平行移動機構は、少なくとも下枠に沿って移動可能に設けられた移動体と、該移動体に回動可能に設けられ障子の戸先側を平行移動可能に支持する回動アーム及びリンクとを有し、上枠及び下枠にラックを設けると共に、前記回動アームの上下に前記ラックと噛合するピニオンを配置し、該上下のピニオンを連動させるべく軸で連結し、上下のラックのうち少なくとも一方が他方に対し微調整可能に設けられていることを特徴とする。
【発明の効果】
【０００９】
請求項１に係る発明によれば、建物の開口部に設けられる上枠、下枠及び左右の縦枠からなる枠体と、該枠体に開閉可能に設けられる障子と、該障子の戸先側を支持して障子を枠体内の閉鎖位置から室外の第１開放位置に平行に持ち出し、更に該第１開放位置から一側方の第２開放位置に平行に移動する平行移動機構と、該平行移動機構を紐状部材を介して操作する操作部とを備えた開口部装置であって、前記平行移動機構は、少なくとも下枠に沿って移動可能に設けられた移動体と、該移動体に回動可能に設けられ障子の戸先側を平行移動可能に支持する回動アーム及びリンクとを有し、上枠及び下枠にラックを設けると共に、前記回動アームの上下に前記ラックと噛合するピニオンを配置し、該上下のピニオンを連動させるべく軸で連結しているため、障子の突き出し量を適正量に抑えることができると共に、障子の垂れ下がりを抑制することができる。
【００１０】
請求項２に係る発明によれば、建物の開口部に設けられる上枠、下枠及び左右の縦枠からなる枠体と、該枠体に開閉可能に設けられる障子と、該障子の戸先側を支持して障子を枠体内の閉鎖位置から室外の第１開放位置に平行に持ち出し、更に該第１開放位置から一側方の第２開放位置に平行に移動する平行移動機構と、該平行移動機構を紐状部材を介して操作する操作部とを備えた開口部装置であって、前記平行移動機構は、少なくとも下枠に沿って移動可能に設けられた移動体と、該移動体に回動可能に設けられ障子の戸先側を平行移動可能に支持する回動アーム及びリンクとを有し、上枠及び下枠にラックを設けると共に、前記回動アームの上下に前記ラックと噛合するピニオンを配置し、該上下のピニオンを連動させるべく軸で連結しているため、障子の突き出し量を適正量に抑えることができると共に、障子の垂れ下がりを抑制することができる。更に、該軸を含む回動アームが前記障子の戸先側内部に収納可能に形成されているため、枠見込みを最小限の寸法とし、障子の円滑な開閉を確保することができる。
【００１１】
請求項３に係る発明によれば、建物の開口部に設けられる上枠、下枠及び左右の縦枠からなる枠体と、該枠体に開閉可能に設けられる障子と、該障子の戸先側を支持して障子を枠体内の閉鎖位置から室外の第１開放位置に平行に持ち出し、更に該第１開放位置から一側方の第２開放位置に平行に移動する平行移動機構と、該平行移動機構を紐状部材を介して操作する操作部とを備えた開口部装置であって、前記平行移動機構は、少なくとも下枠に沿って移動可能に設けられた移動体と、該移動体に回動可能に設けられ障子の戸先側を平行移動可能に支持する回動アーム及びリンクとを有し、上枠及び下枠にラックを設けると共に、前記回動アームの上下に前記ラックと噛合するピニオンを配置し、該上下のピニオンを連動させるべく軸で連結しているため、障子の突き出し量を適正量に抑えることができると共に、障子の垂れ下がりを抑制することができる。更に、上下のラックのうち少なくとも一方が他方に対し微調整可能に設けられているため、建て付け誤差や経年変化により軸が傾いて障子の垂れ下がりが生じたとしても、これを容易に修正することができる。
【発明を実施するための最良の形態】
【００１２】
以下に、本発明を実施するための最良の形態について、添付図面を基に詳述する。図１は本発明の実施の形態である開口部装置のスライド開放状態を示す斜視図、図２は同開口部装置の要部解斜視図、図３は同開口部装置の閉鎖時の縦断面図、図４は同開口部装置の開放状態を示す戸先側縦断面図、図５は同開口部装置の開放状態を示す戸先側近傍の縦断面図、図６は同開口部装置の閉鎖時の横断面図である。
【００１３】
これらの図において、１は建物の開口部に設けられる開口部装置（持ち出しスライド式の窓サッシ）で、この開口部装置１は、上枠２ａ、下枠２ｂ及び左右の縦枠２ｃ，２ｄを枠組してなる枠体（サッシ枠）２と、該枠体２に開閉可能に設けられる障子３と、該障子３の戸先側を支持して障子３を枠体２内の閉鎖位置イから室外（室外）の第１開放位置ロに平行に持ち出し（突き出し）、更に該第１開放位置ロから一側方の第２開放位置ハに平行に移動する平行移動機構４と、該平行移動機構４を紐状部材であるワイヤ５を介して操作する操作部６とを備えている。
【００１４】
前記操作部６は、平行移動機構４をワイヤ５により操作して閉鎖位置イから第１開放位置ロへの障子３の持ち出し開閉と、第１開放位置ロから一側方の第２開放位置ハへの障子３のスライド開閉とを連続的に行うようになっている。本実施例の操作部６は手動式であり、操作用のハンドルａを有しているが、操作部６は電動式であっても良く、その場合はハンドルを有しない。
【００１５】
前記障子３は、上框７ａ、下框７ｂ及び左右の縦框７ｃ，７ｄを框組してなる框体７内にパネル例えばガラスパネル８を装着してなる。上枠２ａ等の枠材や上框７ａ等の框材は、例えば金属製の形材（具体的にはアルミ押出形材）からなっている。図示例の場合、断熱性を高めるために、金属製の形材の室内面に合成樹脂製の形材を取付けた複合断熱構造とされている。また、パネル８としては、断熱性の高い複層ガラスが例示されているが、ガラス以外のアルミパネル等であっても良い。障子３は、框体７の室外側周縁部に鍔部９を有しており、枠体２には、障子閉鎖時にその鍔部９の室内側周縁部に当接する第１の気密材１０と、框体２の室内側周縁部に当接する第２の気密材１１とが設けられていることが好ましい。
【００１６】
前記平行移動機構４は、上枠２ａ及び下枠２ｂのうち少なくとも下枠２ｂに沿って移動可能に設けられた移動体１２と、該移動体１２に回動可能に設けられ障子３の戸先側を平行移動可能に支持する縦長の回動アーム１３及びリンク１４とを有し、上枠２ａ及び下枠２ｂにラック１５，１６を設けると共に、前記回動アーム１３の上下に前記ラック１５，１６と噛合するピニオン１７，１８を配置し、該上下のピニオン１７，１８を連動させるべく垂直の軸１９で連結している。この軸１９は、上下のピニオン１７，１８を連結する連結軸、連動軸ないし回転軸ということができるが、回動アーム１３の基部を回動可能に支持しているため、以下支軸ということとする。支軸１９は組立性を考慮して複数図示例では三つに分割可能に構成されていても良い（図４参照）。
【００１７】
前記上枠２ａと下枠２ｂには、支軸１９の上下端部をラック１５，１６との間で室内外方向にぶれないように上枠２ａと下枠２ｂに沿って案内する案内部２０，２１が一体又は別体（図示例）で設けられていることが好ましい。図示例では、案内部２０，２１は、横断面略Ｕ字状に形成され、上枠２ａの下面と、下枠２ｂの上面とにそれぞれネジ（固着具）４２で取付られている。案内部２０，２１の室内側側壁２０ａ，２１ａは室外側側壁２０ｂ，２１ｂよりも高さ寸法が大きく形成されると共に、室外方向に直角に曲げ加工されたラック取付片部２０ｃ，２１ｃが形成されている。案内部２０，２１の室内側側壁２０ａ，２１ａは支軸１９を直接又はローラ２２，２３を介して支えるレールとされている。前記支軸１９のピニオン１７，１８よりも外側の上端と下端には、上部と下部のレール２０ｂ，２１ｂの室内面に接して転動（走行）するローラ２２，２３が回転可能に設けられている。
【００１８】
枠体２の建て付け等に起因して障子３の戸尻側（縦框７ｄ側）の垂れ下がりの原因となる支軸９の傾きを修正するために、すなわちラック１５，１６の位置を微調整するために、上下のラック１５，１６のうち少なくとも一方（上方のラック１５）が他方（下方のラック１６）に対し微調整可能に設けられていることが好ましい。例えば上部の案内部２０には、ラック１５の一端に対してラック１５を長手方向に移動調整するためのネジ式の調整部２４が設けられている。また、案内部２０，２１のラック取付片部２０ｃ、２１ｃにはラック１５，１６を取付けるための長穴状（ラックの調整を許容する）の取付穴２５が設けられ、ネジ２６でラック１５，１６が取付固定されている。ラック１５，１６は案内部２０，２１の室内側側壁２０ａ，２１ａの室外面に接した状態でラック取付片部２０ｃ，２１ｃにネジ２６で固定されている。
【００１９】
前記移動体１２は、例えば金属板を曲げ加工してなるブラケットからなり、上部には回動アーム１３及びリンク１４を支持するための水平部１２ａを有している。移動体１２は、下枠２ｂ又は案内部２１にスライド可能に支持されていても良いが、移動を円滑にして操作性の向上を図るために、下部のレール２１ｂの上端部に係合して転動可能な一対の車輪２７，２７を有していることが好ましい。移動体１２は、障子３の左右スライド開閉方向の開閉ストロークを大きくするために、左右方向の寸法が短く形成されていることが好ましい。
【００２０】
回動アーム１３とリンク１４が閉鎖位置イから室外の第１開放位置ロへの障子３の持ち出し（換言すれば室内外方向への障子の開閉）を行い、移動体１２を含む支軸１９が第１開放位置ロから一側方（図１の左方）の第２開放位置ハへの障子３の移動（換言すれば左右方向への障子の開閉）を行う。このように役割分担することにより前記平行移動機構４の回動アーム１３及びリンク１４の延出長さを従来のものに比して短くでき、これにより障子３の突き出し量及び垂れ下がりを抑制することができる。
【００２１】
本実施例では、障子３の厚さを例えば４６ｍｍとし、該障子３を枠体２内の閉鎖位置イから室外の第１開放位置ロに突き出した場合、枠体２の室外面から障子３の室外面までの持ち出し量が６１．５ｍｍで、枠体２の室外面と障子３の室内面との間に所定の隙間例えば１５．５ｍｍが生じるようになっている。この場合、障子３が枠体２の室外へ平行に持ち出して開放されるため、障子３による前方遮蔽効果でプライバシーを確保したまま換気することが可能となる。
【００２２】
ところで、障子３の戸先側を回動アーム１３とリンク１４により支持しようとする場合、戸先框７ｃの上下に一対の回動アームを配置し、上下の回動アームの基部を連動させるべく連結軸で連結することが考えられるが、上下の回動アーム間に障子の戸尻側の垂れ下がりの原因となる捩れが発生する恐れがある。この問題を解決するために、回動アーム１３が戸先部（戸先框７ｃ）と略同じ長さの縦長に形成されている。また、回動アーム１３の剛性を高めるために、形材により形成され、更に中空構造とされることが好ましい。回動アーム１３の基部には支軸１９を回転可能に挿通するための軸孔２８が設けられ、該軸孔２８に挿通された支軸１９に対して回動アーム１３が回動可能に支持されている。
【００２３】
また、戸先框７ｃの上下に配置される回動アーム１３の場合には障子閉鎖時に回動アーム１３と戸先框７ｃが干渉する恐れはないが、回動アーム１３が戸先框７ｃと平行に縦長に形成されている場合、障子閉鎖時に回動アーム１３と戸先框７ｃが干渉する恐れがある。この問題を解決するために、支軸１９を含む回動アーム１３が前記障子３の戸先側内部に収納可能に形成されている。図示例では、戸先框７ｃに回動アーム１３を収納可能な凹部２９が形成され、戸先框７ｃの外側縁部に対して回動アーム１３の先端部が蝶番３０を介して回動可能に接続されている。蝶番３０は、２つの蝶番片３０ａ，３０ｂを蝶番軸３０ｃで回動可能に連結してなり、戸先框７ｃ側に取付けられる一方の蝶番片３０ａは戸先框７ｃの外側縁部から室内側に向って突出すべく断面Ｌ字状に形成されている。
【００２４】
回動アーム１３の基部側下端には移動体１２の水平部１２ａを水平回動可能に緩く貫通するボス部１３ａが突設されていると共に、移動体１２の水平部１２ａと回動アーム１３の基部側下端との間には回動アーム１３を回動可能に支持するスラスト軸受３１が設けられている（図４参照）。支軸１９の下端は、ボス部１３ａを通って移動体１２の水平部１２ａよりも下方に突出されている。リンク１４の基部側下端には移動体１２の水平部１２ａを水平回動可能に緩く貫通する軸部１４ａが突設されていると共に、移動体１２の水平部１２ａとリンク１４の基部側下端との間にはリンク１４を回動可能に支持するスラスト軸受３２が設けられている（図５参照）。また、リンク１４の先端は障子３の下面（下框７ｂの下面）又は障子３の下面に取付けた基板３３に軸支されている（図５ないし図７参照）。
【００２５】
前記回動アーム１３の基部には移動体１２の水平部１２ａの下面においてボス部１３ａを介して回動アーム１３と一体に回動する第１プーリ３４が設けられ、リンク１４の基部には移動体１２の水平部１２ａの下面において軸部１４ａを介してリンク１４と一体に回動する第２プーリ３５が設けられている。第１プーリ３４及び第２プーリ３５の外周には上下２つの溝３４ａ，３４ｂ，３５ａ，３５ｂがそれぞれ形成されている。
【００２６】
実施例の場合、図７に示すように下枠２ｂに操作部６が設けられ、この操作部６から平面視で左右にワイヤ５の両端が引き出され、下枠２ｂの両端部に配置したワイヤガイド３６，３７を経由して第１プーリ３４及び第２プーリ３５まで導かれている。右側のワイヤガイド３７から導かれたワイヤ５の端部は回動アーム側の第１プーリ３４の一方（下）の溝３４ｂに左巻きに巻き付けられて止着されている。左側のワイヤガイド３６から導かれたワイヤ５の端部はリンク側の第２プーリ３５の他方（上）の溝３５ａに右巻きに巻き付けられて止着されている。従って、障子３を開けるべく操作部６によりワイヤ５を右回りに操作すると第１及び第２プーリ３４，３５には右回りの力が作用し、障子３を閉めるべくワイヤ５を左回りに操作すると第１及び第２プーリ３４，３５には左回りの力が作用するようになっている。
【００２７】
室内外方向の持ち出し開閉と左右方向のスライド開閉とを前記ワイヤ５の操作により行えるようにするために、図３，図４，図７（ｂ）ないし図９に示すように、回動アーム側の第１プーリ３４の下面部には支軸１９を挟んだ対称位置に垂直軸回りに回転可能な一対のローラ３８，３９が設けられ、下枠（図示例では下部の案内部２１のラック取付片部２１ｃ）には両ローラ３８，３９を左右に位置させた状態に規制しつつ左右方向に案内する規制レール４０が設けられ、更に該規制レール４０の戸先側端部（図９の左端）にはスライド開閉と持ち出し開閉を切り替える切替部４１が設けられている。
【００２８】
この切替部４１は、規制レール４０の戸先側端部に設けられ、ワイヤ５により回動アーム側の第１プーリ３４を障子閉鎖方向（左方）へ移動させたときに進行方向側（左側）のローラ３８が第１プーリ３４の軸心（すなわち支軸１９）を中心に反時計方向（左回り）に略９０°回動し得るように案内する案内溝４１ａを有している。回動アーム１３は、両ローラ３８，３９の軸心を結ぶ線と直交する方向に位置されており、両ローラ３８，３９が規制レール４０と平行な状態（図９の仮想線）から直交する状態（図９の実線）になるときに、回動アーム１３が室外方向から戸先方向（左方）に回動し、障子３が第１開放位置ロから閉鎖位置イに移動されるようになっている。逆に、障子３の閉鎖状態において、ワイヤ５を右回りに操作すると、ワイヤ５に引っ張られて第１プーリ３４が図９の矢印で示すように時計方向（右回り）に回動され、この回動により一方のローラ３８が案内溝４１ａから出ると共に他方のローラ３９が規制レール４０の室外面に当接して第１プーリ３４の回動が停止され、これにより回動アーム１３が戸先方向から室外方向に略９０°回動して障子が閉鎖位置イから第１開放位置ロに移動されるようになっている。更に、ワイヤ５を右回りに操作すると、両ローラ３８，３９が規制レール４０と平行に保持されたまま規制レール４０に沿って右方へ移動し、障子３が第１開放位置ロから移動体１２が戸尻側の縦枠２ｄに当接する第２開放位置ハに移動されるようになっている。
【００２９】
以上の構成からなる開口部装置１の作用を述べる。閉鎖位置にある障子３を室外の第１開放位置イに突き出す場合には、操作部６のハンドル６ａを回してワイヤ５を平面視で右回りに操作する。すると、切替部４１により回動アーム１３が第１プーリ３４と一体に時計方向に回動し、この回動アーム１３と平行にリンク１４が回動し、障子３が枠体２内の閉鎖位置イから室外の第１開放位置ロに持ち出されて開放される。この障子３の第１開放位置ロで、プライバシーを確保したまま換気ができる。
【００３０】
この状態から障子３を側方へずらして開放感を得たり、障子３の室外面を清掃したりする場合には、更に操作部６のハンドル６ａを回してワイヤ５を右回りに操作すると、第１プーリ３４の一対のローラ３８，３９が規制レール４０に規制されて回動アーム１３が室外方向に突出した状態のまま横方向にスライドし、障子３を第１開放位置ロから一側方の第２開放位置ハに平行移動（スライド）することができる。このようにして障子３を横方向にスライドさせて窓を大きく開放することができるため、開放感が得られると共に、障子３の室外面を容易に清掃することが可能となる。この状態から操作部６のハンドル６ａの操作でワイヤ５を前記とは逆回り（左回り）に操作すると、前記とは逆の順序で障子３を閉めることができる。
【００３１】
前記開口部装置１によれば、建物の開口部に設けられる上枠２ａ、下枠２ｂ及び左右の縦枠２ｃ，２ｄからなる枠体２と、該枠体２に開閉可能に設けられる障子３と、該障子３の戸先側を支持して障子３を枠体２内の閉鎖位置イから室外の第１開放位置ロに平行に持ち出し、更に該第１開放位置ロから一側方の第２開放位置ハに平行に移動する平行移動機構４と、該平行移動機構４をワイヤ５を介して操作する操作部６とを備え、前記平行移動機構４は、少なくとも下枠２ａに沿って移動可能に設けられた移動体１２と、該移動体１２に回動可能に設けられ障子３の戸先側を平行移動可能に支持する回動アーム１３及びリンク１４とを有し、上枠２ａ及び下枠２ｂにラック１５，１６を設けると共に、前記回動アーム１３の上下に前記ラック１５，１６と噛合するピニオン１７，１８を配置し、該上下のピニオン１７，１８を連動させるべく支軸１９で連結しているため、障子３の突き出し量を適正量に抑えることができると共に、障子３の垂れ下がりを抑制することができる。
【００３２】
すなわち、平行移動機構４の回動アーム１３とリンク１４が閉鎖位置イから室外の第１開放位置ロへの障子３の持ち出し開閉を行い、移動体１２を含む支軸１９が第１開放位置ロから一側方の第２開放位置ハへの障子３のスライド開閉を行うようにしたので、回動アーム１３及びリンク１４の延出長さを従来のものに比して短くでき、これにより障子３の突き出し量及び垂れ下がりを抑制することができ、障子３の開閉を円滑に行うことができる。
【００３３】
また、回動アーム１３が障子３の戸先部と略同じ長さの縦長に形成されているため、上下の回動アームを連動軸で連結したものと異なり、回動アーム１３が捩れにくく、障子３の垂れ下がりを更に抑制することができる。更に、支軸１９を含む回動アーム１３が障子３の戸先側内部に収納可能に形成されているため、障子閉鎖時に回動アーム１３と障子３の戸先側とが干渉して障子１３が閉鎖困難になるのを防止することができ、枠見込みを最小限の寸法とし、障子の円滑な開閉を確保することができる。
【００３４】
また、上下のラック１５，１６のうち少なくとも一方が他方に対し微調整可能に設けられているため、建て付け誤差や経年変化により支軸１９が傾いて障子３の垂れ下がりが生じたとしても、これを容易に修正することができる。
【００３５】
以上、本発明の実施の形態（実施例）を図面により詳述してきたが、本発明は前記実施の形態に限定されるものではなく、本発明の要旨を逸脱しない範囲での種々の設計変更等が可能である。例えば、操作部は手動式に限定されず、電動式であっても良い。また、操作部は遠隔操作されるように構成されていても良く、例えば開口部装置が出窓に適用される場合や高さの高い位置の窓に適用される場合などに好適である。紐状部材としては、ワイヤ（ワイヤロープ）以外に、例えば、ケーブル、ピアノ線、チェーン、紐等であっても良い。
【図面の簡単な説明】
【００３６】
【図１】本発明の実施の形態である開口部装置のスライド開放状態を示す斜視図である。
【図２】同開口部装置の要部解斜視図である。
【図３】同開口部装置の閉鎖時の縦断面図である。
【図４】同開口部装置の開放状態を示す戸先側縦断面図である。
【図５】同開口部装置の開放状態を示す戸先側近傍の縦断面図である。
【図６】同開口部装置の閉鎖時の横断面図である。
【図７】同開口部装置の持ち出し開放状態を示す図で、（ａ）は横断面図、（ｂ）は（ａ）の矢印Ｂ方向から見た要部の図である。
【図８】上枠におけるラックの取付構造を示す斜視図である。
【図９】切替部の構造を概略的に示す図である。
【符号の説明】
【００３７】
１  開口部装置
２  枠体
２ａ  上枠
２ｂ  下枠
２ｃ、２ｄ  縦枠
３  障子
４  平行移動機構
５  ワイヤ（紐状部材）
６  操作部
１２  移動体
１３  回動アーム
１４  リンク
１５，１６  ラック
１７，１８  ピニオン
１９  支軸（軸）
【図１】
2006183335.tif 000003
【図２】
2006183335.tif 000004
【図３】
2006183335.tif 000005
【図４】
2006183335.tif 000006
【図５】
2006183335.tif 000007
【図６】
2006183335.tif 000008
【図７】
2006183335.tif 000009
【図８】
2006183335.tif 000010
【図９】
2006183335.tif 000011